(57)【要約】【課題】温度センサにより装置の温度を検出して電源による通電を制御する際に、使用者が安心して使用できる映像表示装置を提供することを目的とする。【解決手段】過去に温度センサ３０による高温状態を検出したかどうかの情報を記憶する履歴記憶部３４を備え、前記履歴記憶部３４に高温状態を検出した情報が記憶されていない場合には電源投入時に電源の通電を開始する信号を電源制御部３５に送信し、かつ前記履歴記憶部３４に高温状態を検出した情報が記憶されている場合には電源投入時に現在温度が下限温度より高いかどうかを判断して電源の通電を制御する信号を電源制御部３５に送信するように構成したものである。【選択図】　図１
2004004251.tif 000002
【特許請求の範囲】
【請求項１】
温度センサから現在の温度が入力される温度情報入力部と、電源が投入されても通電を行わない下限温度を記憶する下限温度記憶部と、前記温度情報入力部からの現在温度と下限温度記憶部に記憶されている下限温度とを比較し現在温度の方が高いときに高温状態を示す信号を発生する判断部と、この判断部から高温状態を示す信号が入力されたときに電源の通電を停止させる電源制御部と、過去に温度センサによる高温状態を検出したかどうかの情報を記憶する履歴記憶部とを備え、前記判断部は、前記履歴記憶部に高温状態を検出した情報が記憶されていない場合には電源投入時に電源の通電を開始する信号を電源制御部に送信し、かつ前記履歴記憶部に高温状態を検出した情報が記憶されている場合には電源投入時に現在温度が下限温度より高いかどうかを判断して電源の通電を制御する信号を電源制御部に送信するように構成したことを特徴とする映像表示装置。
【発明の詳細な説明】
【０００１】
【発明の属する技術分野】
本発明は、大画面で、薄型、軽量のディスプレイ装置として知られているプラズマディスプレイ装置などの映像表示装置に関するものである。
【０００２】
【従来の技術】
このプラズマディスプレイ装置では、ガス放電により紫外線を発生させ、この紫外線で蛍光体を励起して発光させカラー表示を行っている。そして、基板上に隔壁によって区画された表示セルが設けられており、これに蛍光体層が形成されている構成を有する。
【０００３】
このプラズマディスプレイ装置には、大別して、駆動的にはＡＣ型とＤＣ型があり、放電形式では面放電型と対向放電型の２種類があるが、高精細化、大画面化および製造の簡便性から、現状では、プラズマディスプレイ装置の主流は、３電極構造の面放電型のもので、その構造は、一方の基板上に平行に隣接した表示電極対を有し、もう一方の基板上に表示電極と交差する方向に配列されたアドレス電極と、隔壁、蛍光体層を有するもので、比較的蛍光体層を厚くすることができ、蛍光体によるカラー表示に適している。
【０００４】
このようなプラズマディスプレイ装置は、液晶パネルに比べて高速の表示が可能であり、視野角が広いこと、大型化が容易であること、自発光型であるため表示品質が高いことなどの理由から、フラットパネルディスプレイの中で最近特に注目を集めており、多くの人が集まる場所での表示装置や家庭で大画面の映像を楽しむための表示装置として各種の用途に使用されている。
【０００５】
以下、プラズマディスプレイ装置について、図３〜図６を用いて説明する。
【０００６】
まず、プラズマディスプレイ装置におけるプラズマディスプレイパネルの構造について図３を用いて説明する。図３に示すように、ガラス基板などの透明な前面側の基板１上には、スキャン電極とサステイン電極とで対をなすストライプ状の表示電極２が複数列形成され、そしてその電極群を覆うように誘電体層３が形成され、その誘電体層３上には保護膜４が形成されている。
【０００７】
また、前記前面側の基板１に対向配置される背面側の基板５上には、スキャン電極及びサステイン電極の表示電極２と交差するように、オーバーコート層６で覆われた複数列のストライプ状のアドレス電極７が形成されている。このアドレス電極７間のオーバーコート層６上には、アドレス電極７と平行に複数の隔壁８が配置され、この隔壁８間の側面およびオーバーコート層６の表面に蛍光体層９が設けられている。
【０００８】
これらの基板１と基板５とは、スキャン電極およびサステイン電極の表示電極２とアドレス電極７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁８によって複数の区画に仕切ることにより、表示電極２とアドレス電極７との交点が位置する複数の放電セルが設けられ、その各放電セルには、赤色、緑色及び青色となるように蛍光体層９が一色ずつ順次配置されている。
【０００９】
図４にこのプラズマディスプレイパネルの電極配列を示しており、図４に示すようにスキャン電極およびサステイン電極とアドレス電極とは、Ｍ行×Ｎ列のマトリックス構成であり、行方向にはＭ行のスキャン電極ＳＣＮ１〜ＳＣＮＭおよびサステイン電極ＳＵＳ１〜ＳＵＳＭが配列され、列方向にはＮ列のアドレス電極Ｄ１〜ＤＮが配列されている。
【００１０】
このような電極構成のプラズマディスプレイパネルにおいては、アドレス電極とスキャン電極の間に書き込みパルスを印加することにより、アドレス電極とスキャン電極の間でアドレス放電を行い、放電セルを選択した後、スキャン電極とサステイン電極との間に、交互に反転する周期的な維持パルスを印加することにより、スキャン電極とサステイン電極との間で維持放電を行い、所定の表示を行うものである。
【００１１】
図５に上記で説明した構造のパネルを組み込んだプラズマディスプレイ装置の全体構成の一例を示している。図において、パネル１０を収容する筐体は、前面枠１１と金属製のバックカバー１２とから構成され、前面枠１１の開口部には光学フィルターおよびパネル１０の保護を兼ねたガラス等からなる前面カバー１３が配置されている。また、この前面カバー１３には電磁波の不要輻射を抑制するために、例えば銀蒸着が施されている。さらに、バックカバー１２には、パネル１０等で発生した熱を外部に放出するための複数の通気孔１２ａが設けられている。
【００１２】
前記パネル１０は、アルミニウム等からなるシャーシ部材１４の前面に熱伝導シート１５を介して接着することにより保持され、そしてシャーシ部材１４の後面側には、パネル１０を表示駆動させるための複数の回路ブロック１６が取り付けられている。前記熱伝導シート１５は、パネル１０で発生した熱をシャーシ部材１４に効率よく伝え、放熱を行うためのものである。また、回路ブロック１６はパネル１０の表示駆動とその制御を行うための電気回路を備えており、パネル１０の縁部に引き出された電極引出部に、シャーシ部材１４の四辺の縁部を越えて延びる複数のフレキシブル配線板（図示せず）によって電気的に接続されている。
【００１３】
また、シャーシ部材１４の後面には、回路ブロック１６を取り付けたり、バックカバー１２を固定するためのボス部１４ａがダイカスト等による一体成型により突設されている。なお、このシャーシ部材１４は、アルミニウム平板に固定ピンを固定して構成してもよい。
【００１４】
ところで、このプラズマディスプレイ装置においては、パネルにおける放電によりパネルの温度が高くなるため、上述したようにシャーシ部材にパネルの熱を伝熱し放熱する構造であり、シャーシ部材の背面側に配置した表示駆動回路ブロックの温度が回路ブロックの動作による熱にプラスされ、高くなる。このため、回路ブロック近傍に温度センサを配置し、装置が異常動作状態となる前に、電源における通電を制御することが行われる。
【００１５】
図６に従来の制御装置部分のブロック図を示しており、図において、２０はプラズマディスプレイ装置の背面側上部の回路ブロック近傍に配設される温度センサ、２１は温度センサ２０からの現在温度が入力される温度情報入力部、２２は電源スイッチが投入されても通電を行わない下限温度を記憶する下限温度記憶部、２３は温度センサ２０で検出した現在温度と下限温度記憶部２２に記憶されている下限温度を比較し、現在温度の方が高いときに高温状態という信号を発生する判断部、２４はこの判断部２３からの高温状態を示す信号を受けて電源の通電を停止させる電源制御部、２５は電源の動作状態を使用者が認識できるように表示するＬＥＤ点灯部である。
【００１６】
以上のように構成された従来の装置について、その動作について説明すると、まず、工場などにおいて、電源投入時に電源スイッチが投入されても通電を行わない下限温度の値を下限温度記憶部２２に記憶させ出荷する。
【００１７】
そして、使用者が、パワーオン動作を行うために電源スイッチを投入する操作をした場合、温度情報入力部２１に、温度センサ２０からの現在の温度情報が入力され、判断部２３に送信される。判断部２３は、温度センサ２０からの現在温度と下限温度記憶部２２に記憶してある下限温度を比較し、現在温度の方が高ければ高温状態を示す信号を電源制御部２４とＬＥＤ点灯部２５へ送信する。
【００１８】
電源制御部２４では、使用者によってパワーオン動作を行うとしていたが、判断部２３からの高温状態の検出情報によってパワーオンを行わない動作（スタンバイ動作）を行う。また、ＬＥＤ点灯部２５は、パワーオン状態を示すＬＥＤ表示を行うとしていたが、判断部２３からの高温状態の検出情報によって温度異常を示すＬＥＤ表示を行う。
【００１９】
【発明が解決しようとする課題】
しかしながら、上記の従来の構成では、外気の温度が下限温度よりも高い場合も、パワーオン動作を行わないため、例えば日常的に気温が高い地域のプラズマディスプレイ装置を設置して使用する場合、装置が異常な状態になっていないにもかかわらず、電源スイッチを投入しても電源による通電が行われないという課題があった。このため、装置としては、正常に動作する製品であるにもかかわらず、使用者からすると、表示動作を行わない不良品であるという誤解を与えることとなっていた。
【００２０】
本発明は上記従来の課題に鑑みなされたもので、温度センサにより装置の温度を検出して電源による通電を制御する際に、使用者が安心して使用できる映像表示装置を提供することを目的とする。
【００２１】
【課題を解決するための手段】
この目的を達成するために本発明の映像表示装置は、過去に温度センサによる高温状態を検出したかどうかの情報を記憶する履歴記憶部を備え、前記履歴記憶部に高温状態を検出した情報が記憶されていない場合には電源投入時に電源の通電を開始する信号を電源制御部に送信し、かつ前記履歴記憶部に高温状態を検出した情報が記憶されている場合には電源投入時に現在温度が下限温度より高いかどうかを判断して電源の通電を制御する信号を電源制御部に送信するように構成したものである。
【００２２】
【発明の実施の形態】
すなわち、本発明の請求項１に記載の発明は、温度センサから現在の温度が入力される温度情報入力部と、電源が投入されても通電を行わない下限温度を記憶する下限温度記憶部と、前記温度情報入力部からの現在温度と下限温度記憶部に記憶されている下限温度とを比較し現在温度の方が高いときに高温状態を示す信号を発生する判断部と、この判断部から高温状態を示す信号が入力されたときに電源の通電を停止させる電源制御部と、過去に温度センサによる高温状態を検出したかどうかの情報を記憶する履歴記憶部とを備え、前記判断部は、前記履歴記憶部に高温状態を検出した情報が記憶されていない場合には電源投入時に電源の通電を開始する信号を電源制御部に送信し、かつ前記履歴記憶部に高温状態を検出した情報が記憶されている場合には電源投入時に現在温度が下限温度より高いかどうかを判断して電源の通電を制御する信号を電源制御部に送信するように構成したものであり、電源投入時、外気の温度に左右されることなく、装置を動作させることができ、また装置の温度が上昇して高温状態になったときは電源の通電動作を停止させることができる。
【００２３】
以下、本発明の一実施の形態による映像表示装置について、図１、図２を用いて説明する。
【００２４】
図１は本発明の一実施の形態による映像表示装置のブロック図であり、図２はその動作フローを示すフローチャートである。まず図１において、３０はプラズマディスプレイ装置の背面側上部の回路ブロック近傍に配設される温度センサ、３１は温度センサ３０からの現在温度が入力される温度情報入力部、３２は電源スイッチが投入されても通電を行わない下限温度を記憶する下限温度記憶部、３３は温度センサ３０で検出した現在温度と下限温度記憶部３２に記憶されている下限温度を比較し、現在温度の方が高いときに高温状態という信号を発生する判断部、３４は過去に温度センサ３０による高温状態を検出したかどうかの情報を記憶する履歴記憶部、３５は判断部３３からの高温状態を示す信号を受けて電源の通電を停止させる電源制御部で、前記判断部３３は、前記履歴記憶部３４に高温状態を検出した情報が記憶されていない場合は、電源投入時に電源の通電を開始する信号を電源制御部３５に送信し、一方前記履歴記憶部３４に高温状態を検出した情報が記憶されている場合は、電源投入時に現在温度が下限温度より高いかどうかを判断して電源の通電を制御する信号を電源制御部３５に送信する。なお、３６は電源の動作状態を使用者が認識できるように表示するＬＥＤ点灯部である。
【００２５】
次に、以上のように構成された映像表示装置について、その動作について説明すると、まず、工場などにおいて、電源投入時に電源スイッチが投入されても通電を行わない下限温度の値を下限温度記憶部３２に記憶させ出荷する。
【００２６】
そして、使用者が、パワーオン動作を行うために電源スイッチを投入する操作をした場合、温度情報入力部３１に、温度センサ３０からの現在の温度情報が入力され、判断部３３に送信される。このとき、履歴記憶部３４は、電源投入前に温度センサ３０による高温状態を検出したかどうかの情報を判断部３３に送信している。
【００２７】
判断部３３では、前記履歴記憶部３４に高温状態を検出した情報が記憶されていない履歴なしの場合、図２に示すように温度センサ３０からの現在温度と下限温度記憶部３２に記憶してある下限温度を比較し、現在温度が高くても電源オンのパワーオン動作を継続する信号を電源制御部３５とＬＥＤ点灯部３６へ送信する。
【００２８】
一方、前記履歴記憶部３４に高温状態を検出した情報が記憶されている履歴ありの場合には、図２に示すように電源投入時に現在温度が下限温度より高いかどうかを判断し、現在温度が下限温度より高い場合、電源の通電を行わない信号を電源制御部３５およびＬＥＤ点灯部３６に送信し、電源制御部３５では、使用者によってパワーオン動作を行うとしていたが、判断部３３からの高温状態の検出情報によってパワーオンを行わない動作（スタンバイ動作）を行う。また、ＬＥＤ点灯部３６は、パワーオン状態を示すＬＥＤ表示を行うとしていたが、判断部３３からの高温状態の検出情報によって温度異常を示すＬＥＤ表示を行う。
【００２９】
また、温度センサ３０からの現在温度と下限温度記憶部３２に記憶してある下限温度を比較し、現在温度が下限温度より低い場合は、パワーオン動作を継続する信号を電源制御部３５とＬＥＤ点灯部３６へ送信し、通常通り電源による通電が行われ、図１に示す装置においては、通常の検出モードの動作を行う。
【００３０】
なお、通常の検出モードによる動作では、温度センサ３０により検出した現在温度と下限温度記憶部３２に記憶されている下限温度を比較し、温度センサ３０による値が下限温度の値を超える高温状態となった場合に、判断部３３が電源制御部３５にスタンバイ動作を行わせる信号を送信する。また、このとき履歴記憶部３４に高温状態になったという履歴情報を記憶する。
【００３１】
【発明の効果】
以上のように本発明によれば、過去に温度センサによる高温状態を検出したかどうかの情報を記憶する履歴記憶部を備え、前記履歴記憶部に高温状態を検出した情報が記憶されていない場合には電源投入時に電源の通電を開始する信号を電源制御部に送信し、かつ前記履歴記憶部に高温状態を検出した情報が記憶されている場合には電源投入時に現在温度が下限温度より高いかどうかを判断して電源の通電を制御する信号を電源制御部に送信するように構成したことにより、電源投入時、外気の温度に左右されることなく、装置を動作させることができ、また装置の温度が上昇して高温状態になったときは電源の通電動作を停止させることができる。
【図面の簡単な説明】
【図１】本発明の一実施の形態による映像表示装置のブロック図
【図２】同映像表示装置の動作を示すフローチャート
【図３】プラズマディスプレイ装置のパネルの概略構成を示す斜視図
【図４】同プラズマディスプレイ装置のパネルの電極配列を示す説明図
【図５】同プラズマディスプレイ装置の内部の配置構造を示す分解斜視図
【図６】従来の映像表示装置のブロック図
【符号の説明】
３０　温度センサ
３１　温度情報入力部
３２　下限温度記憶部
３３　判断部
３４　履歴記憶部
３５　電源制御部
３６　ＬＥＤ点灯部
【図１】
2004004251.tif 000003
【図２】
2004004251.tif 000004
【図３】
2004004251.tif 000005
【図４】
2004004251.tif 000006
【図５】
2004004251.tif 000007
【図６】
2004004251.tif 000008